(57)【要約】【課題】刷毛用素線群の重なりを少なくでき、植毛密度が小さいローラ歯ブラシ用刷毛体と提供すること。【解決手段】（Ａ）ナイロン等の合成繊維フィラメントから成る多数本の素線１をＵ字状に二つ折して束状に集合されると共にその素線を折った中心部分２に、共通の巻付け用リード線３が固定されている刷毛用素線群4と、（Ｂ）リール胴部周面６に前記刷毛用素線群４が１列又は複数列に押入される溝７が螺旋状に形成された刷毛用リール８とを備え、（Ｃ）素線の中心部２がリード線３で固定された状態で刷毛用素線群4を、刷毛用リール８の胴部に、前記螺旋溝７に沿う螺旋ピッチで螺旋状に巻き付けて、隣接する溝間に所定の隙間９を設けて、ロール状としたロール歯ブラシ用刷毛体。【選択図】 図２
0003120845.tif 000002
【実用新案登録請求の範囲】
【請求項１】
下記（Ａ）〜（Ｃ）の組み合わせから成るロール歯ブラシ用刷毛体。
（Ａ）ナイロン等の合成繊維フィラメントから成る多数本の素線１をＵ字状に二つ折して束状に集合されると共にその素線を折った中心部分２に、共通の巻付け用リード線３が固定されている刷毛用素線群4と、
（Ｂ）リール胴部周面６に前記刷毛用素線群４が１列又は複数列に押入される溝７が螺旋状に形成された刷毛用リール８とを備え、
（Ｃ）素線１の中心部２がリード線３で固定された状態で刷毛用素線群4を、刷毛用リール８の胴部に、前記螺旋溝７に沿う螺旋ピッチで螺旋状に巻き付けて、隣接する溝間に所定の隙間９を設けて、ロール状とする。
【請求項２】
下記（Ａ）〜（Ｄ）の構成の組み合わせから成るロール歯ブラシ。
（Ａ）ナイロン等の合成フィラメントから成る多数本の素線１をＵ字状に二つ折して束状に集合されると共にその素線の折った中心部分２に、共通の巻付け用リード線３が固定されている刷毛用素線群4と、
（Ｂ）リール胴部周面６に前記刷毛用素線群４が１列又は複数列に押入される溝７が螺旋状に形成された刷毛用リール８とを備え、
（Ｃ）素線１の中心部２がリード線３で固定された状態で、刷毛用素線群４を刷毛用リール８の胴部に前記螺旋溝７に沿う螺旋ピッチで螺旋状に巻き付けて、隣接する溝間に隙間９を設けてロール状としたロール歯ブラシ用刷毛体１０と、
（Ｄ）前記ロール状をした刷毛体１０の胴部中心に円形挿通穴５が形成され、該挿通穴５に支軸１１が挿入され、この刷毛体１０が杷柄部材１２の一端側に突設した前記支軸１１により回転自在に支持させてなる。
【考案の詳細な説明】
【技術分野】
【０００１】
本考案は、歯面に付着しているプラーク（歯垢）などの付着物を人工的に除去するための歯口清掃用具である歯ブラシ（ｔｏｏｔｈｂｒｕｓｈ）とその歯ブラシの植毛方法に関し、とりわけ刷毛（ｂｒｉｓｔｌｅｓ）をロール状としてなる歯ブラシに関するものである。
【背景技術】
【０００２】
口の中の汚れ、ことに歯面の付着物であるプラーク、歯石等を除去・抑制するために用いられる歯ブラシは、歯口清掃用具のなかで最も重要、かつ一般的な用具といわれている（非特許文献１参照）。
歯ブラシは、大きく分けると手用歯ブラシと電動歯ブラシがあり、手用歯ブラシが通常「歯ブラシ」と呼ばれている。この歯ブラシは、ナイロン毛等の合成フィラメントからなるものや天然毛から成る刷毛を植えてある頭部（ｈｅａｄ）と、手で握る杷柄部（ｈａｎｄｌｅ）及び頭部と杷柄部とをつなぐ頚部（ｃｈａｎｋ）からなっている。歯ブラシの頭部には多数本の刷毛を植え込んだ植毛穴（ｔｕｆｔ  ｈｏｌｅｓ）がある。各刷毛はＵ字状に２つ折した後穴に押込み、平線で固定し略垂直状又は放射状（扇形）に植え込まれているものが一般的である。刷毛部の形態は、刷毛部を側方からみた状態において、刷掃面（ｂｒｕｓｉｎｇ  ｐｌａｎ）が頭部と平行な直線型、また凹湾型と、凸湾型の３つに大別されるが、他にタフト型（ｔｕｆｔ  ｔｙｐｅ）や傾斜型などもある。刷毛の植毛状態は毛束の間隔がある疎毛束と、毛束が離れないで密集している多毛束とに分かれ、毛束の配列が１〜３列で毛束数が６〜２７束のものを疎毛束、４列または多数列に密植しているものを多毛束と呼んでいる。
上述の歯ブラシは、杷柄部を把持して歯面に刷毛を当て、左右・上下・回転など、軽い圧力を加えながら毛先の移動を繰り返す動作を行い、プラークの除去や歯肉のマッサージなどを行うように用いられる。なお歯ブラシの植毛部に疎毛束を用いるものは、水切れもよく、乾燥しやすいので、清潔に保つことができる。また多毛束の密毛タイプのものは、歯ブラシの使い方として、歯肉溝等の清掃に毛先を用いるブラッシング法に適しているといわれている。
【０００３】
このような各種形態の歯ブラシに関連する先行技術文献情報としては次のものがある。なお上述の普及タイプの歯ブラシとは異なり、近年、俗に「回転歯ブラシ」とか「ロール歯ブラシ」等と呼ばれ、歯ブラシの杷柄部の先端に回転できるブラシを設けたものとか、刷毛部の形態がローラ状をしているタイプのものが開発され、注目されている（例えば、特許文献１〜７参照）。
【０００４】
【非特許文献１】松田裕子・近藤いさを、"歯ブラシ事典"第３版、学建書院、２００２年１０月版、
【特許文献１】登録意匠第１０６６５４３号公報
【特許文献２】実開昭６３−１２０９２９号公報
【特許文献３】実用新案登録第３１０４３５６号公報
【特許文献４】特開２０００−８３７３６号公報
【特許文献５】特開２００３−２１９９１１号公報
【特許文献６】特開２００３−２２００８０号公報
【特許文献７】特開２００３−２８９９４７号公報
【０００５】
特許文献１、２、４〜７の歯ブラシは、円筒形状の刷毛部が杷柄部の先端に回転自在に設けられているが、その製造法は、ナイロン等からなる多数本の素線群（刷毛）が房状に集合されると共に、その素線群が放射方向に押し開かれ固定された状態で素線群の中心部分が環状に溶着されてなる環状溶着部が形成されると共に、環状溶着部の内周が円形に切断されて円形挿通穴が形成されてなる歯ブラシ用シート状刷毛体を形成し、該シート状刷毛体が多数枚重ね合せられた後、挿通穴に軸心パイプが挿入されてロール状としてなり、このロール体が柄部材の一端側に突設した支軸に回転自在に支持されたものである。
特許文献３の歯ブラシは、歯ブラシの柄部の先端軸を中心に、ほぼ円盤型をした刷毛体を複数枚重ね合わせることでローラ状としたもので、このローラ状刷毛体を柄軸に通すことで、歯ブラシを構成させたものである。
【考案の開示】
【考案が解決しようとする課題】
【０００６】
上述のように、従来のロール歯ブラシは、シート状刷毛単体等を複数枚重ね合わせた後、中央の挿通穴に軸心パイプが挿入されてロール状とした刷毛体が使用されていた。このローラ状刷毛体を柄の一端側に突設した支軸に回転自在に支持させて構成したものであり、あるいは歯ブラシの柄部の先端に円盤型をした刷毛体を軸と直交するように直接的に取り付けてなるものであった。
そして上述のロール歯ブラシの植毛状態をみると、毛束の間隔が離れないで密集しているものが多かった。その理由は、製造法に由来してシート状刷毛体が密接した状態に多数枚重ね合せられているため、刷毛が全体に亘り密植されている状態になると考えられる。そして毛束が離れないで密集しているために、歯ブラシの使い方として、歯肉溝等の清掃に毛先を用いるブラッシング法の適用が困難である。そのうえ毛束が離れないで密集しているため、水切れが悪く、乾燥しにくいため、毛の中に侵入したブラークの洗い流しも不充分となり、不衛生な面もある。また、この毛束の配列間隔を調整することは容易ではない。 
【課題を解決するための手段】
【０００７】
従来のロール歯ブラシの問題点を解決するために、本考案は、リールに螺旋溝を形成し、この螺旋溝に、巻付け用リード線を中心に束状に集合させた多数本の刷毛用素線群を螺旋溝に沿う螺旋ピッチで螺旋状に巻き付けることにより押入し、かつ前記素線群の自由端をリール上方に突出させると同時に隣接する溝間に所定広さの隙間を設けて植毛し、ロール状としたローラ歯ブラシ用刷毛体を形成したものである。
【０００８】
すなわち本考案の請求項１のロール歯ブラシ用刷毛体は、下記（Ａ）〜（Ｃ）の組み合わせから成る。
（Ａ）ナイロン等の合成繊維フィラメントから成る多数本の素線１をＵ字状に二つ折して束状に集合されると共にその素線を折った中心部分２に、共通の巻付け用リード線３が固定されている刷毛用素線群4と、
（Ｂ）リール胴部周面６に前記刷毛用素線群４が１列又は複数列に押入される溝７が螺旋状に形成された刷毛用リール８とを備え、
（Ｃ）素線の中心部２がリード線３で固定された状態で刷毛用素線群4を、刷毛用リール８の胴部に、前記螺旋溝７に沿う螺旋ピッチで螺旋状に巻き付けて、隣接する溝間に所定の隙間９を設けて、ロール状とする。
【０００９】
本考案の請求項２のロール歯ブラシは、下記（Ａ）〜（Ｃ）の組み合わせから成る。
（Ａ）ナイロン等の合成フィラメントから成る多数本の素線１をＵ字状に二つ折して束状に集合されると共にその素線の折った中心部分２に、共通の巻付け用リード線３が固定されている刷毛用素線群4と、
（Ｂ）リール胴部周面６に前記刷毛用素線群４が１列又は複数列に押入される溝７が螺旋状に形成された刷毛用リール８とを備え、
（Ｃ）素線の中心部２がリード線３で固定された状態で刷毛用素線群4を、刷毛用リール８の胴部に、前記螺旋溝７に沿う螺旋ピッチで螺旋状に巻き付けて、隣接する溝間に隙間９を設けて、ロール状としたロール歯ブラシ用刷毛体１０と、
（Ｄ）前記ロール状をした刷毛体１０の胴部中心に円形挿通穴５が形成され、該挿通穴５に支軸１１が挿入され、この刷毛体１０が柄部材１２の一端側に突設した前記支軸により回転自在に支持させてなる。
【考案の効果】
【００１０】
本考案によれば、以下に記載されるような効果を奏する。
（イ）刷毛用素線群の重なりを少なくでき、よって植毛密度が小さいローラ歯ブラシ用刷毛体の製造が可能である。
（ロ）前記刷毛用素線群を、刷毛用リールの胴部螺旋溝に所定の螺旋ピッチで螺旋状に巻き付けることにより押入して毛束の配列間隔を調整できる。
（ハ）毛束間隔があるので水切れもよく、乾燥しやすいので、清潔に保つことができる。
（ニ）歯隙に毛先が侵入しやすくなりブラークの除去が容易となる。
（ホ）ロール歯ブラシ用刷毛体を高度の熟練を要することなく製造することができ、ロール歯ブラシの量産化も可能とする。
【考案を実施するための最良の形態】
【００１１】
次に本考案の実施の形態について図面を参照し説明する。図１は本考案により得られたロール状をした刷毛体を装着したロール歯ブラシ２０の側面図、図２は平面図である。
図示の杷柄部１２は長さ方向の中間より一端側が太く形成され、符号１３で示す握り部に滑り止めが形成されている。杷柄部１２の他方の一端に形成された両側の支持片１４、１４の間にロール状をした刷毛体１０を介入させ、一方の支持片から前記刷毛体１０の胴部中心に形成された挿通穴５を通じて、他方の支持片へと頭部を有する支軸１１が挿入される。この後、支軸１１の他端側を圧潰または溶着させる等の手段により、ロール状刷毛体１０を柄部材１２の長さ方向一端に前記支軸１１を介して回転自在に支持させる。
因みに図１の支持片にはロール状刷毛体１０の周面を部分的に覆うカバーが一体的に設けられているが、前記カバーはなくともよい。例えば、図３〜４に変形例を示しように、先端部の支持片１４を単に二股形状にした歯ブラシを形成することができる。
なお、この歯ブラシの杷柄部１２は、保険衛生上有害でない合成樹脂を使用して成型加工され、例えばポリプロピレン又はポリエステル樹脂等を用いて、長さ１７０〜１７５ｍｍ程に射出成形により成型する。
【００１２】
次に、ロール状刷毛体について説明する。
本考案のロール状刷毛体１０は、刷毛用素線群４と、刷毛用リール８と、これを柄部材１２の長さ方向一端に回転自在に支持させる支軸１１より構成されている。
【００１３】
刷毛用素線群４について説明すると、先ず、ナイロン等の合成モノフィラメントから成る多数本の素線１をＵ字状に二つ折して束状に集合させると共に、その素線の折った中心部分２に、共通の巻付け用リード線３を溶着または接着剤により固定し、刷毛用素線群4を形成する（図５〜８参照）。
次に、リール胴部周面６に前記刷毛用素線群４が１列又は複数列に押入される溝７が螺旋状に形成された刷毛用リール８を使用して、前記刷毛用素線群4を、素線中心部２がリード線３で固定された状態で刷毛用リール８の胴部螺旋溝７に、リード線３の一端より胴部螺旋溝７に沿う螺旋ピッチで螺旋状に巻き付けることにより押入し、かつ前記素線群４の自由端をリール上方に突出させると同時に隣接する溝７間に所定広さの隙間９を設けて、ロール状としたローラ歯ブラシ用刷毛体１０を形成する（図９〜１４参照）。
【００１４】
リール８は、前述の柄部材同様に、例えば、ポリプロピレン又はポリエステル樹脂等の合成樹脂を用い、直径１０ｍｍ、リール幅２０ｍｍ程とし、深さ２．５ｍｍ、幅１〜４ｍｍ程の螺旋溝７を、一例として射出金型成形により成型する。
【００１５】
素線１は、主にナイロン以外に、ポリエチレン等の合成モノフィラメントが使用できる。太さは直径０．１３〜０．３０ｍｍ、長さは１５ｍｍ程のものを使用する。これをリード線３を中心としてＵ形に曲げて束状に集合させて固定し、有効長７．５ｍｍ程の形状に形成する（図８参照）。
【００１６】
さらにロールブラシとして形成する過程は、前記刷毛用素線群4を、素線中心部２がリード線３に溶着または接着剤で固定された状態で刷毛用リール８を回転させながら、そのリールの胴部螺旋溝７に、リード線３の一端より胴部螺旋溝７に沿う螺旋ピッチで螺旋状に巻き付けて押入する（図１１〜１２参照）。そして前記素線群４の自由端をリール上方に突出させると同時に隣接する溝７間に所定広さの隙間（クリアランス９）を設け（図１３）て、ロール状とした刷毛体１０を形成するのである。
なお素線群4を螺旋溝７に押入後、素線中心部２と螺旋溝７とを必要に応じて接着剤等で固定しても良い。
図示の螺旋溝７には、前記刷毛用素線群４が１列ずつ押入されているが、３〜４の複数列に押入させることも可能である。
【００１７】
そして、リール上方に突出させた前記素線群４の先端は適宜な毛先処理機を使用し丸めてそろえる。この後、前述の通り杷柄部１２の他方の一端に形成された両側の支持片１４、１４の間に刷毛体１０を介入させ、一方の支持片から前記刷毛体１０の胴部中心に形成された挿通穴５を通じて、他方の支持片へと頭部を有する支軸１１が挿入する。この後、支軸１１の他端側を圧潰または溶着させる等の手段により、ロール状刷毛体１０を柄部材１２の長さ方向一端に前記支軸１１を介して回転自在に支持させる（図１４）。
【００１８】
以上のような工程を経て出来上がったロール歯ブラシは、検査工程を経て包装し出荷される。
【図面の簡単な説明】
【００１９】
【図１】ロール歯ブラシの側面図である。
【図２】同上平面図である。
【図３】ロール歯ブラシの変形例の正面図である。
【図４】同上側面図である。
【図５】巻付け用リード線の説明図である。
【図６】刷毛用素線の説明図である。
【図７】前記素線とリード線の組合せ図である 。
【図８】刷毛用素線群の説明図である。
【図９】刷毛用リールの説明図である。
【図１０】刷毛用リールの縦断面図である。
【図１１】刷毛用リールの螺旋溝に刷毛用素線群を巻き付ける過程の説明図である。
【図１２】同じく刷毛用リールの螺旋溝に刷毛用素線群を巻き付ける過程の説明図である。
【図１３】ロール状刷毛体の側面図である。
【図１４】ロール状刷毛体の支持部の拡大図である。
【符号の説明】
【００２０】
１  素線 
２  素線中心部
３  巻付け用リード線
４  刷毛用素線群
５  円形挿通穴
６  リール胴部周面
７  螺旋溝
８  刷毛用リール
９  隙間（クリアランス）
１０  ロール状刷毛体
１１  支軸
１２  杷柄部
１３  滑り止め
１４  支持片
２０  ロール歯ブラシ
【図１】
0003120845.tif 000003
【図２】
0003120845.tif 000004
【図３】
0003120845.tif 000005
【図４】
0003120845.tif 000006
【図５】
0003120845.tif 000007
【図６】
0003120845.tif 000008
【図７】
0003120845.tif 000009
【図８】
0003120845.tif 000010
【図９】
0003120845.tif 000011
【図１０】
0003120845.tif 000012
【図１１】
0003120845.tif 000013
【図１２】
0003120845.tif 000014
【図１３】
0003120845.tif 000015
【図１４】
0003120845.tif 000016